(57)【要約】【課題】奥行き寸法を小さくし、床面積が小さい薄型のスイッチを提供する。【解決手段】一対の固定接点２２,２８を内側面１１ｂ上に配設した箱形のベース１１と、ベース１１の内側面１１ｂに沿って回動可能に支持され、かつ、常に一方の固定接点である共通固定接点２８に接続する可動接触片３１と、ベース１１の内側面１１ｂに沿って回動可能に支持され、可動接触片３１を付勢する弾性部材４１と、ベース１１の内側面１１ｂに沿って往復移動可能に支持され、可動接触片３１を回動する押しボタン５１と、ベース１１を被覆するカバー６１と、を備えたスイッチ１において、可動接触片３１が、他方の固定接点（信号固定接点）２２に接続する通電位置と、他方の固定接点２２に接続しない遮断位置との間を内側面１１ｂに直交する回動軸心を中心として回動可能にベース１１に組み付けられた。【選択図】図６
2012138273.tif 000002
【特許請求の範囲】
【請求項１】
一対の固定接点を内側面上に配設したベースと、
前記ベースの内側面に沿って回動可能に支持され、かつ、１つの前記固定接点である共通固定接点に接続する可動接触片と、
前記ベースの内側面に沿って回動可能に支持され、前記可動接触片を付勢する弾性部材と、
前記ベースの内側面に沿って往復移動可能に支持され、前記可動接触片を回動する押しボタンと、
前記ベースを被覆するカバーと、
を備えたスイッチにおいて、
前記可動接触片の自由端部に配置された切替可動接点が、他方の前記固定接点である信号固定接点に接続する通電位置と、前記信号固定接点に接続しない遮断位置との間を摺動するように、前記可動接触片が前記内側面に直交する回動軸心を中心として回動可能に前記ベースに組み付けられたことを特徴とするスイッチ。
【請求項２】
少なくとも３つの固定接点を内側面上に配設したベースと、
前記ベースの内側面に沿って回動可能に支持され、かつ、１つの前記固定接点である共通固定接点に接続する可動接触片と、
前記ベースの内側面に沿って回動可能に支持され、前記可動接触片を付勢する弾性部材と、
前記ベースの内側面に沿って往復移動可能に支持され、前記可動接触片を回動する押しボタンと、
前記ベースを被覆するカバーと、
を備えたスイッチにおいて、
前記可動接触片の自由端部に配置された切替可動接点が、残る他の前記固定接点である信号固定接点に接離するように、前記可動接触片が前記内側面に直交する回動軸心を中心として回動可能に前記ベースに組み付けられたことを特徴とするスイッチ。
【請求項３】
前記信号固定接点が、常閉固定接点と常開固定接点とからなり、
前記切替可動接点が、前記常閉固定接点に接続される常閉位置と、前記常開固定接点に接続される常開位置との間を摺動することを特徴とする請求項２に記載のスイッチ。
【請求項４】
前記可動接触片は、前記回動軸心にて前記共通固定接点に接続する共通可動接点を有することを特徴とする請求項１ないし３のいずれかに記載のスイッチ。
【請求項５】
前記可動接触片の自由端部に、前記弾性部材の自由端部と前記押しボタンとで狭持される回動狭持部を前記切替可動接点とは別に設け、前記押しボタンが、前記回動狭持部を押圧可能に配置されたことを特徴とする請求項１ないし４のいずれかに記載のスイッチ。
【請求項６】
前記回動狭持部に係止突起を設けたことを特徴とする請求項５に記載のスイッチ。
【請求項７】
前記押しボタンの下面に、前記回動狭持部を押し下げる円弧状の操作用底面を突設したことを特徴とする請求項５または６のいずれかに記載のスイッチ。
【請求項８】
前記可動接触片が、自由端部に前記回動狭持部を有する腕部と、自由端部に前記常閉固定接点または常開固定接点に接離する切替可動接点を有する可動伸長片と、を備えると共に、前記腕部と前記可動伸長片とを平行に延在したことを特徴とする請求項５ないし７のいずれかに記載のスイッチ。
【請求項９】
前記可動接触片は、その基部で段差を形成するように曲げ起こされる一方、前記回動狭持部が前記押しボタンに押圧される位置まで延在すると共に、前記切替可動接点が前記信号固定接点に接続するように曲げ降ろされた形状を特徴とする請求項５ないし８のいずれかに記載のスイッチ。
【請求項１０】
前記可動接触片に複数の前記可動伸長片を有し、前記可動伸長片の基部と前記切替可動接点との距離が前記複数の可動伸長片の間で同一であり、かつ、前記切替可動接点が前記複数の可動伸長片の間で同一回動軌跡上にないことを特徴とする請求項８または請求項９に記載のスイッチ。
【請求項１１】
前記可動接触片と前記弾性部材とが、前記ベースに突設された回動軸心を中心として回動するように支持されていることを特徴とする請求項１ないし１０のいずれかに記載のスイッチ。
【請求項１２】
前記弾性部材が、回動可能で、かつ、所定の接点圧を確保するように前記切替可動接点を前記固定接点側に付勢することを特徴とする請求項１ないし１１のいずれかに記載のスイッチ。
【請求項１３】
前記カバーの内向面に、前記可動接触片に係合して位置規制する位置規制リブを設けたことを特徴とする請求項１ないし１２のいずれかに記載のスイッチ。
【発明の詳細な説明】
【技術分野】
【０００１】
本発明はスイッチ、特に、押しボタンを押し下げることにより、動作する押しボタンスイッチに関する。
【背景技術】
【０００２】
押しボタンスイッチとして、例えば、特許文献１の図７に示すように、常閉固定接点端子の常閉固定接点と、常開固定接点端子の常開固定接点とを同一鉛直面上にキャップ内に設け、いずれか一方の固定接点に両側から一対の可動接点で圧接して狭持するように設けたスイッチが記載されている。
【０００３】
しかし、特許文献１に記載のスイッチでは、可動接点が固定接点を両側から挟むように配設されているので、スイッチの奥行き寸法が大きく、薄型化できないという問題があった。
【先行技術文献】
【特許文献】
【０００４】
【特許文献１】特開２００３−６８１６４号公報
【発明の概要】
【発明が解決しようとする課題】
【０００５】
本発明は、前記従来の問題点に鑑みてなされたもので、奥行き寸法を小さくし、床面積が小さい薄型のスイッチを提供することを課題とする。
【課題を解決するための手段】
【０００６】
前記課題を解決するため、本発明のスイッチは、
一対の固定接点を内側面上に配設したベースと、
前記ベースの内側面に沿って回動可能に支持され、かつ、１つの前記固定接点である共通固定接点に接続する可動接触片と、
前記ベースの内側面に沿って回動可能に支持され、前記可動接触片を付勢する弾性部材と、
前記ベースの内側面に沿って往復移動可能に支持され、前記可動接触片を回動する押しボタンと、
前記ベースを被覆するカバーと、
を備えたスイッチにおいて、
前記可動接触片の自由端部に配置された切替可動接点が、他方の前記固定接点である信号固定接点に接続する通電位置と、前記信号固定接点に接続しない遮断位置との間を摺動するように、前記可動接触片が前記内側面に直交する回動軸心を中心として回動可能に前記ベースに組み付けられたものである。
【発明の効果】
【０００７】
本発明によれば、可動接触片が通電位置と遮断位置との間を内側面に直交する回動軸心を中心に回動することで、ベースの内側面に配設された固定接点との接続をオン、またはオフすることができる。これにより、奥行き寸法が小さい薄型のスイッチが得られる。
【０００８】
他の実施形態として、少なくとも３つの固定接点を内側面上に配設したベースと、
前記ベースの内側面に沿って回動可能に支持され、かつ、１つの前記固定接点である共通固定接点に接続する可動接触片と、
前記ベースの内側面に沿って回動可能に支持され、前記可動接触片を付勢する弾性部材と、
前記ベースの内側面に沿って往復移動可能に支持され、前記可動接触片を回動する押しボタンと、
前記ベースを被覆するカバーと、
を備えたスイッチにおいて、
前記可動接触片の自由端部に配置された切替可動接点が、残る他の前記固定接点である信号固定接点に接離するように、前記可動接触片が前記内側面に直交する回動軸心を中心として回動可能に前記ベースに組み付けられてもよい。
【０００９】
ベースの内側面上に少なくとも３つの固定接点を配設し、１つの固定接点である共通固定接点に接続された可動接触片が内側面に直交する回動軸心を中心として回動することにより、残りの固定接点に接離できる。このため、奥行き寸法が小さい薄型のスイッチが得られる。
【００１０】
本発明に係る実施形態としては、前記信号固定接点が、常閉固定接点と常開固定接点とからなり、
前記切替可動接点が、前記常閉固定接点に接続される常閉位置と、前記常開固定接点に接続される常開位置との間を摺動してもよい。
【００１１】
上記構成により、スイッチを薄くしたまま、共通固定接点を常閉固定接点と常開固定接点との間で切り換えることができる。
【００１２】
本発明に係る他の実施形態としては、前記可動接触片は、前記回動軸心にて前記共通固定接点に接続する共通可動接点を有してもよい。
これにより、可動接触片を介して共通固定接点と信号固定接点との接続をオン、またはオフすることができる。
【００１３】
本発明に係る他の実施形態としては、前記可動接触片の自由端部に、前記弾性部材の自由端部と前記押しボタンとで狭持される回動狭持部を前記切替可動接点とは別に設け、前記押しボタンが、前記回動狭持部を押圧可能に配置されてもよい。
【００１４】
上記構成により、弾性部材が回動狭持部を介して押しボタンを付勢すると共に、一旦、押しボタンが付勢力に抗して押圧されると回動狭持部を回動軸心を中心として回動することができる。
【００１５】
前記回動狭持部に係止突起を設けることが好ましい。
これにより、可動接触片が押しボタンの下方への移動を確実に受け止め、動作特性が安定する。
【００１６】
本発明に係る異なる実施形態としては、前記押しボタンの下面に、前記回動狭持部を押し下げる円弧状の操作用底面を突設してもよい。
これにより、押しボタンの上下方向の移動動作を可動接触片の回動動作に円滑に変換できる。
【００１７】
本発明に係る他の実施形態としては、前記可動接触片が、自由端部に前記回動狭持部を有する腕部と、自由端部に前記常閉固定接点または常開固定接点に接離する切替可動接点を有する可動伸長片と、を備えると共に、前記腕部と前記可動伸長片とを平行に延在してもよい。
両者を平行に延在するので、可動接触片の設計が容易になる。
【００１８】
前記可動接触片は、その基部で段差を形成するように曲げ起こされる一方、前記回動狭持部が前記押しボタンに押圧される位置まで延在すると共に、前記切替可動接点が前記信号固定接点に接続するように曲げ降ろされた形状としてもよい。
切替可動接点が曲げ降ろされることで、切替可動接点と信号固定接点との所望の接点圧を確保すると共に、基部で段差を形成するように曲げ起こされることで、回動狭持部を信号固定接点から離間し、かつ、押しボタンに付勢力を付与することができる。
【００１９】
本発明に係る異なる実施形態としては、前記可動接触片に複数の前記可動伸長片を有し、前記可動伸長片の基部と前記切替可動接点との距離が前記複数の可動伸長片の間で同一であり、かつ、前記切替可動接点が前記複数の可動伸長片の間で同一回動軌跡上にないことが好ましい。
【００２０】
上記構成により、切替可動接点と可動伸長片に働く力の作用点との間の距離を一定に維持でき、同一の接点圧を確保できると共に、切替可動接点の回動軌跡が異なることにより、接触信頼性を高めることができる。
【００２１】
本発明に係る新たな実施形態としては、前記可動接触片と前記弾性部材とが、前記ベースに突設された回動軸心を中心として回動するように支持されていることが好ましい。
このため、可動接触片と弾性部材とが同一の回動軸心を中心にして回動するので、可動接触片および弾性部材の収容体積を小さくでき、ベース内部を省スペース化できると共に、設計が容易になる。
【００２２】
本発明に係る他の実施形態としては、前記弾性部材が、回動可能で、かつ、所定の接点圧を確保するように前記切替可動接点を前記固定接点側に付勢してもよい。
これにより、可動接触片と固定接点との間に所望の接点圧を確保できる。
【００２３】
本発明に係る新たな実施形態としては、前記カバーの内向面に、前記可動接触片に係合して位置規制する位置規制リブを設けてもよい。
このため、位置規制リブが可動接触片を固定接点側に位置規制するので、可動接触片の浮き上がりを規制し、可動接触片と固定接点との接点圧のバラツキを無くすという効果がある。
【図面の簡単な説明】
【００２４】
【図１】（Ａ）は本発明に係るスイッチの実施形態を示す斜視図、（Ｂ）は（Ａ）からレバーを外したスイッチの斜視図、（Ｃ）は（Ｂ）のスイッチの破断斜視図。
【図２】図１Ｂのスイッチの分解斜視図。
【図３】図２の反対方向から見たスイッチの分解斜視図。
【図４】（Ａ）は各固定接点端子がインサート成形されたベースの斜視図、（Ｂ）は図４Ａの正面図、（Ｃ）は図４Ａと違う角度から見たベースの斜視図。
【図５】図３のカバーを違う角度からみた斜視図。
【図６】（Ａ）は常閉固定接点端子と共通固定接点端子とが導通している状態のスイッチの内部構造を示す正面図、（Ｂ）は常開固定接点端子と共通固定接点端子とが導通している状態のスイッチの内部構造を示す正面図。
【発明を実施するための形態】
【００２５】
本発明に係る実施形態を図１ないし図６の添付図面に従って説明する。
本発明は、押しボタン５１を押し下げることにより、通電する端子を切り換える押しボタンスイッチ１に適用した場合である。
【００２６】
押しボタンスイッチ１は、図１ないし図３に示すように、ベース１１と、このベース１１にインサート成形される常閉固定接点端子２１、常開固定接点端子２４および共通固定接点端子２７と、常閉固定接点端子２１と常開固定接点端子２４とを切り換える切替用可動接触片３１と、この切替用可動接触片３１を上方に付勢する弾性部材であるコイルバネ４１と、このコイルバネ４１に付勢された切替用可動接触片３１を上下方向に回動させる押しボタン５１と、前記ベース１１を被覆するカバー６１と、で構成されている。
【００２７】
なお、実際に組み立てた製品の一例では、全体高さ６．５ｍｍ、ベース１１の幅８．２ｍｍ、ベース１１の奥行き２．７ｍｍの外形寸法を有している。
【００２８】
ベース１１は、図２および図４に示すように、下辺部１１ａに一対の台部１２を備えた箱形状である。また、前記ベース１１の奥側の内側面１１ｂにはインサート成形された常閉固定接点端子２１、常開固定接点端子２４および共通固定接点端子２７の常閉固定接点２２,常開固定接点２５,共通固定接点２８がそれぞれ露出している（図４Ｂ）。
【００２９】
ベース１１の角部には、レバー２を回動可能に支持する支持突起１３が設けられている。このベース１１の内側面１１ｂの隅部には、回動軸心である円柱形の支持用突部１４が内側面１１ｂに垂直に突設されており、この支持用突部１４には、切替用可動接触片３１とコイルバネ４１とが順に差し込まれる。また、ベース１１の支持突起１３の長手方向反対側に位置する上面には押しボタン５１が挿通される切欠き部１６が形成されており、この切欠き部１６に連続して、鉛直下方にガイド用リブ１７が延在している。さらに、ベース１１の下辺部１１ａには、上面がコイルバネ４１と係止する立方体形状の突起１８が設けられている。そして、ベース１１の両外側には、外方に向かって突出する一対の係合突起１９が形成されている。
【００３０】
ベース１１の下辺部１１ａに形成された台部１２には、取付孔１２ａがそれぞれ形成されている。前記台部１２がベース１１の長手方向に直交する短側方向に突き出すように形成され、取付ねじ（図示せず）の締付力がカバー６１に直接負荷されることがないので、カバー６１の損傷を防止できる。
【００３１】
常閉固定接点端子２１は、図２に示すように、常開固定接点端子２４に向かって水平方向に延び、かつ、下側縁部に形成された鋸歯形の段部からなる常閉固定接点（信号固定接点）２２と、この常閉固定接点２２の基部から下方に向かって延び、かつ、図２中の手前側に曲げ起こされた常閉端子部２３と、を備えている。この常閉固定接点端子２１がベース１１にインサート成形された状態では、図４（Ａ）から図４（Ｃ）に示すように、常閉端子部２３がベース１１から下方側に突出している。
【００３２】
常開固定接点端子２４は、図２に示すように、常閉固定接点端子２１に向かって水平方向に延び、かつ、上側縁部に形成された鋸歯形の段部からなる常開固定接点２５（信号固定接点）と、この常開固定接点２５の基部から下方に向かって延び、かつ、図２中の手前側に曲げ起こされた常開端子部２６と、を備えている。この常開固定接点端子２４がベース１１にインサート成形された状態では、図４（Ａ）から図４（Ｃ）に示すように、常開端子部２６がベース１１から下方側に突出している。
【００３３】
共通固定接点端子２７は、図２に示すように、上端に形成され、かつ、成形孔２８ａを有する円形の共通固定接点２８と、この共通固定接点２８から図２中の手前側に曲げ起こされ、かつ、下方に向かって延びる共通端子部２９と、を備えている。この共通固定接点端子２７がベース１１にインサート成形された状態では、図４（Ａ）から図４（Ｃ）に示すように、成形孔２８ａからベース１１の支持用突部１４が突出する一方、共通端子部２９はベース１１から下方側に突出している。
【００３４】
切替用可動接触片３１は、図２および図３に示すように、嵌合孔３２ａを有する共通可動接点３２と、この共通可動接点３２から、図２中の手前側に曲げ起こされた段差３９を介し、ベース１１の長手方向に沿って延びる回動部３３と、を備えている。
この回動部３３は、共通可動接点３２の近傍からベース１１の長手方向に沿って延びる一対の可動伸長片３４と、この可動伸長片３４と正面視で平行にベース１１の長手方向に延び、かつ、端部に押しボタン５１に押圧される回動狭持部３５が形成された腕部３６と、を有する。また、回動狭持部３５には所定の幅を有する係止突起が設けられている。
可動伸長片３４の先端部には可動接点３８Ａ,３８Ｂが形成され、切替用可動接触片３１が回動することにより、前記可動接点３８Ａ,３８Ｂが常閉または常開固定接点２２,２５に接離する。また、共通可動接点３２に近接する可動接点３８Ａと段差３９との間の距離はＬ１であり、共通可動接点３２から離れた可動接点３８Ｂと後述する位置規制リブ６６により規制された箇所との間の距離はＬ２である。そして、これらＬ１とＬ２とは同じ距離になるように構成されている。
【００３５】
コイルバネ４１は、巻回された卷回部４３と、この卷回部４３の一端から切替用可動接触片３１に沿って延在し、かつ、先端部を折り曲げた係止端部４２と、卷回部４３の他端から延びる支持部４４と、を有する。
【００３６】
押しボタン５１は、上下方向に延びるボタン本体５２と、ボタン本体５２の下縁に設けられた板状係止部５３と、板状係止部５３の中央からカバー６１に向かって突出するガイド用突起５４と、ボタン本体５２のガイド用突起５４と反対側の面に鉛直方向に形成されたガイド用溝５５（図３参照）と、板状係止部５３の底部に下方に向かって突出する円弧状の操作用底面５６と、を備えている。
【００３７】
カバー６１は、図５に示すように、カバー本体６２と、このカバー本体６２の両側からベース１１に向かって延びる一対の側壁６３と、を備えている。図５に示すように、カバー本体６２は、前記ベース１１のガイド用リブ１７と対向する位置に、上下方向に延びる一対のガイド用レール６４が突設されており、このガイド用レール６４の上端には、押しボタン５１のガイド用突起５４に係止し、抜け止めする抜け止め用突起６５が設けられている。カバー本体６２のガイド用レール６４の近傍には、湾曲しながら上下方向に延びる位置規制リブ６６が形成されている。側壁６３にはそれぞれ、矩形の係合孔６７がそれぞれ形成されている。
【００３８】
本実施形態に係る押しボタンスイッチ１を組み立てるには、常閉、常開および共通固定接点端子２１,２４,２７をインサート成形したベース１１の切欠き部１６にボタン本体５２を嵌合する。このとき、押しボタン５１のガイド用溝５５がベース１１のガイド用リブ１７に係合し、押しボタン５１はベース１１に上下方向に移動可能に支持される。
【００３９】
また、切替用可動接触片３１の嵌合孔３２ａを支持用突部１４に嵌合し、図６（Ａ）に示すように、可動接点３８Ａ,３８Ｂを常閉固定接点２２に当接する。更に、コイルバネ４１の卷回部４３を前記支持用突部１４に嵌合し、支持部４４を突起１８に係止すると共に、係止端部４２を回動狭持部３５の底面側に係止し、前記回動狭持部３５を押しボタン５１の操作用底面５６に当接させる。そして、カバー６１の係合孔６７をベース１１の係合突起１９に係止することにより、カバー６１をベース１１に組み付ける。
【００４０】
このとき、押しボタン５１はガイド用リブ１７に係合すると共に、ガイド用突起５４がカバー６１の一対のガイド用レール６４間に位置規制されることにより、上下方向に移動可能に支持される。また、コイルバネ４１の支持部４４が、突起１８と係止しているので、卷回部４３のバネ力により、係止端部４２が切替用可動接触片３１と押しボタン５１とを上方に付勢している。そして、押しボタン５１の板状係止部５３の上面が、切欠き部１６の底面に係止し、可動接点３８Ａ,３８Ｂが常閉固定接点２２に当接している。更に、カバー６１の位置規制リブ６６が腕部３６に当接することにより、切替用可動接触片３１の浮き上がりを規制し、可動接点３８Ａ,３８Ｂと、常閉固定接点２２および常開固定接点２５との接点圧を確保する。
【００４１】
次に、前述の押しボタンスイッチ１の操作方法について説明する。
押しボタン５１に外部から押圧力が付加されていない場合、図６（Ａ）に示すように、可動接点３８Ａ,３８Ｂが常閉固定接点２２に接触し、共通固定接点端子２７と常閉固定接点端子２１とが導通している。
そして、レバー２（図１（Ａ）参照）を介して図６（Ｂ）に示すように、押しボタン５１を下方に押圧すると、押しボタン５１はガイド用リブ１７および一対のガイド用レール６４に摺接しながら下方に移動する。このとき、操作用底面５６が回動狭持部３５と係止端部４２とを下方に押し下げ、切替用可動接触片３１とコイルバネ４１とが支持用突部１４を中心として、反時計回りに回動する。これにより、常閉固定接点２２に接触していた一対の可動接点３８Ａ,３８Ｂが、下方に移動して常開固定接点２５に接触し、共通固定接点端子２７と常開固定接点端子２４とが導通する。
【００４２】
ついで、押しボタン５１に対する下方への押圧力を解除すると、コイルバネ４１のバネ力により、係止端部４２が回動狭持部３５と操作用底面５６とを上方に押し上げる。このため、切替用可動接触片３１は、支持用突部１４を中心として時計回り方向に回動すると共に、押しボタン５１が上方に押し上げられ、板状係止部５３が切欠き部１６の下面縁部と係止する。これにより、常開固定接点２５に接触していた一対の可動接点３８Ａ,３８Ｂが、上方に移動して常閉固定接点２２に接触し、共通固定接点端子２７と常閉固定接点端子２１とが導通する。本実施形態では、コイルバネ４１の係止端部４２と卷回部４３との間の距離が長く確保されている。これにより、押しボタン５１を下方に押し下げても、係止端部４２の回動角度が小さく、コイルバネ４１に対する負荷が小さいので、その耐久性が向上する。
【００４３】
本実施形態では、常閉固定接点端子２１の常閉固定接点２２と常開固定接点端子２４の常開固定接点２５とをベース１１の内側面１１ｂに同一面上に並設している。そして、切替用可動接触片３１が支持用突部１４を中心に回動することにより、常閉固定接点端子２１と常開固定接点端子２４とを切り換える構成を採用している。このため、押しボタンスイッチ１の奥行き寸法を小さくでき、薄型の押しボタンスイッチ１が得られる。
【００４４】
また、切替用可動接触片３１の端部に回動狭持部３５を設け、その底面にコイルバネ４１を係止したので、コイルバネ４１のバネ力に付勢された切替用可動接触片３１が押しボタン５１の上下移動を確実に受け止め、かつ、コイルバネ４１と連動して動くので、動作特性が安定する。更に、切替用可動接触片３１の腕部３６と可動伸長片３４とが正面視で略平行に延びるため、切替用可動接触片３１の設計が容易である。
【００４５】
そして、切替用可動接触片３１の距離Ｌ１と、距離Ｌ２とが等しい。このため、可動接点３８Ａ,３８Ｂと切替用可動接触片３１に働く力の作用点との距離を一定に維持でき、同一の接点圧を確保できると共に、可動接点３８Ａ,３８Ｂの回動軌跡が異なることで、接触信頼性を高めることができる。
特に、可動接点３８Ａ,３８Ｂは同一の回動軌跡上にないが、常閉固定接点２２および常開固定接点２５が鋸歯状に形成されているので、可動接点３８Ａ,３８Ｂが常閉固定接点２２または常開固定接点２５にそれぞれ同時に接離し、接触信頼性を向上できる。
【００４６】
次いで、切替用可動接触片３１とコイルバネ４１とが、支持用突部１４を中心に回動するので、ベース１１の切替用可動接触片３１およびコイルバネ４１の収容体積を小さくできる。このため、ベース１１の内部を省スペース化できると共に、設計が容易になる。
また、カバー６１に押圧され圧縮されたコイルバネ４１の卷回部４３が、共通可動接点３２を固定接点２２,２５側に付勢するので、可動接点３８Ａ,３８Ｂと固定接点２２,２５との間に所望の接点圧を確保できる。
【００４７】
更に、押しボタン５１が、切替用可動接触片３１の可動接点３８Ａ,３８Ｂの近傍を押圧するように配置されているので、押しボタン５１と可動接点３８Ａ,３８Ｂとの連動性を高めることができ、動作位置精度が向上する。
そして、押しボタン５１の、切替用可動接触片３１との係止面に円弧状の操作用底面５６を形成したので、押しボタン５１の上下方向への移動動作を切替用可動接触片３１の回動動作に円滑に変換できる。
【００４８】
切替用可動接触片３１は、その基部が段差３９を形成するように曲げ起こされる一方、回動狭持部３５が押しボタン５１に押圧される位置まで延在すると共に、切替可動接点３８が信号固定接点２２,２５に接続するように曲げ降ろされた形状としている。切替可動接点３８が曲げ降ろされることで、切替可動接点３８と信号固定接点２２,２５との所望の接点圧を確保すると共に、基部で段差３９を形成するように曲げ起こされることで、回動狭持部３５を信号固定接点２２,２５から離間し、かつ、押しボタン５１に付勢力を付与することができる。
【００４９】
本発明は、前記実施形態に限定されず種々の変形が可能である。
前記実施形態では、共通固定接点２８に接続された切替用可動接触片３１が、常閉固定接点２２と常開固定接点２５との間で接続を切り換えることで、導電する端子を切り換えたが、これに限定されない。例えば、ベース１１に配設された一対の固定接点端子のうち、一方の固定接点端子を切替用可動接触片に接続し、この切替用可動接触片が、他方の固定接点端子に接触して通電する通電位置と、他方の固定接点端子と接続せずに通電しない遮断位置との間を回動する構成としてもよい。
【００５０】
また、前記実施形態では切替用可動接触片３１が、常閉固定接点端子２１および常開固定接点端子２４の２つの端子間で接続を切り換えたが、３つ以上の接点端子をベース１１に配設し、接続を切り換える構成も採用してもよい。
【符号の説明】
【００５１】
１  押しボタンスイッチ
１１  ベース
１４  支持用突部（回動軸心）
２２  常閉固定接点（信号固定接点）
２５  常開固定接点（信号固定接点）
２８  共通固定接点
３１  切替用可動接触片
３２  共通可動接点
３４  可動伸長片
３５  回動狭持部
３６  腕部
３８Ａ  切替可動接点
３８Ｂ  切替可動接点
４１  コイルバネ（弾性部材）
５１  押しボタン
５６  操作用底面
６１  カバー
６６  位置規制リブ
【図１】
2012138273.tif 000003
【図２】
2012138273.tif 000004
【図３】
2012138273.tif 000005
【図４】
2012138273.tif 000006
【図５】
2012138273.tif 000007
【図６】
2012138273.tif 000008
【手続補正書】
【提出日】平成23年3月25日(2011.3.25)
【手続補正１】
【補正対象書類名】明細書
【補正対象項目名】全文
【補正方法】変更
【補正の内容】
【発明の詳細な説明】
【技術分野】
【０００１】
本発明はスイッチ、特に、押しボタンを押し下げることにより、動作する押しボタンスイッチに関する。
【背景技術】
【０００２】
押しボタンスイッチとして、例えば、特許文献１の図７に示すように、常閉固定接点端子の常閉固定接点と、常開固定接点端子の常開固定接点とを同一鉛直面上にキャップ内に設け、いずれか一方の固定接点に両側から一対の可動接点で圧接して狭持するように設けたスイッチが記載されている。
【０００３】
しかし、特許文献１に記載のスイッチでは、可動接点が固定接点を両側から挟むように配設されているので、スイッチの奥行き寸法が大きく、薄型化できないという問題があった。
【先行技術文献】
【特許文献】
【０００４】
【特許文献１】特開２００３−６８１６４号公報
【発明の概要】
【発明が解決しようとする課題】
【０００５】
本発明は、前記従来の問題点に鑑みてなされたもので、奥行き寸法を小さくし、床面積が小さい薄型のスイッチを提供することを課題とする。
【課題を解決するための手段】
【０００６】
前記課題を解決するため、本発明のスイッチは、
一対の固定接点を内側面上に配設したベースと、
前記ベースの内側面に沿って回動可能に支持され、かつ、１つの前記固定接点である共通固定接点に接続する可動接触片と、
前記ベースの内側面に沿って回動可能に支持され、前記可動接触片を付勢する弾性部材と、
前記ベースの内側面に沿って往復移動可能に支持され、前記可動接触片を回動する押しボタンと、
前記ベースを被覆するカバーと、
を備えたスイッチにおいて、
前記可動接触片の自由端部に配置された切替可動接点が、他方の前記固定接点である信号固定接点に接続する通電位置と、前記信号固定接点に接続しない遮断位置との間を摺動するように、前記可動接触片が前記内側面に直交する回動軸心を中心として回動可能に前記ベースに組み付けられたものである。
【発明の効果】
【０００７】
本発明によれば、可動接触片が通電位置と遮断位置との間を内側面に直交する回動軸心を中心に回動することで、ベースの内側面に配設された固定接点との接続をオン、またはオフすることができる。これにより、奥行き寸法が小さい薄型のスイッチが得られる。
【０００８】
他の実施形態として、少なくとも３つの固定接点を内側面上に配設したベースと、
前記ベースの内側面に沿って回動可能に支持され、かつ、１つの前記固定接点である共通固定接点に接続する可動接触片と、
前記ベースの内側面に沿って回動可能に支持され、前記可動接触片を付勢する弾性部材と、
前記ベースの内側面に沿って往復移動可能に支持され、前記可動接触片を回動する押しボタンと、
前記ベースを被覆するカバーと、
を備えたスイッチにおいて、
前記可動接触片の自由端部に配置された切替可動接点が、残る他の前記固定接点である信号固定接点に接離するように、前記可動接触片が前記内側面に直交する回動軸心を中心として回動可能に前記ベースに組み付けられてもよい。
【０００９】
ベースの内側面上に少なくとも３つの固定接点を配設し、１つの固定接点である共通固定接点に接続された可動接触片が内側面に直交する回動軸心を中心として回動することにより、残りの固定接点に接離できる。このため、奥行き寸法が小さい薄型のスイッチが得られる。
【００１０】
本発明に係る実施形態としては、前記信号固定接点が、常閉固定接点と常開固定接点とからなり、
前記切替可動接点が、前記常閉固定接点に接続される常閉位置と、前記常開固定接点に接続される常開位置との間を摺動してもよい。
【００１１】
上記構成により、スイッチを薄くしたまま、共通固定接点を常閉固定接点と常開固定接点との間で切り換えることができる。
【００１２】
本発明に係る他の実施形態としては、前記可動接触片は、前記回動軸心にて前記共通固定接点に接続する共通可動接点を有してもよい。
これにより、可動接触片を介して共通固定接点と信号固定接点との接続をオン、またはオフすることができる。
【００１３】
本発明に係る他の実施形態としては、前記可動接触片の自由端部に、前記弾性部材の自由端部と前記押しボタンとで狭持される回動狭持部を前記切替可動接点とは別に設け、前記押しボタンが、前記回動狭持部を押圧可能に配置されてもよい。
【００１４】
上記構成により、弾性部材が回動狭持部を介して押しボタンを付勢すると共に、一旦、押しボタンが付勢力に抗して押圧されると回動狭持部を回動軸心を中心として回動することができる。
【００１５】
前記回動狭持部に係止突起を設けることが好ましい。
これにより、可動接触片が押しボタンの下方への移動を確実に受け止め、動作特性が安定する。
【００１６】
本発明に係る異なる実施形態としては、前記押しボタンの下面に、前記回動狭持部を押し下げる円弧状の操作用底面を突設してもよい。
これにより、押しボタンの上下方向の移動動作を可動接触片の回動動作に円滑に変換できる。
【００１７】
本発明に係る他の実施形態としては、前記可動接触片が、自由端部に前記回動狭持部を有する腕部と、自由端部に前記常閉固定接点または常開固定接点に接離する切替可動接点を有する可動伸長片と、を備えると共に、前記腕部と前記可動伸長片とを平行に延在してもよい。
両者を平行に延在するので、可動接触片の設計が容易になる。
【００１８】
前記可動接触片は、その基部で段差を形成するように曲げ起こされる一方、前記回動狭持部が前記押しボタンに押圧される位置まで延在すると共に、前記切替可動接点が前記信号固定接点に接続するように曲げ降ろされた形状としてもよい。
切替可動接点が曲げ降ろされることで、切替可動接点と信号固定接点との所望の接点圧を確保すると共に、基部で段差を形成するように曲げ起こされることで、回動狭持部を信号固定接点から離間し、かつ、押しボタンに付勢力を付与することができる。
【００１９】
本発明に係る異なる実施形態としては、前記可動接触片に複数の前記可動伸長片を有し、前記可動伸長片の基部と前記切替可動接点との距離が前記複数の可動伸長片の間で同一であり、かつ、前記切替可動接点が前記複数の可動伸長片の間で同一回動軌跡上にないことが好ましい。
【００２０】
上記構成により、切替可動接点と可動伸長片に働く力の作用点との間の距離を一定に維持でき、同一の接点圧を確保できると共に、切替可動接点の回動軌跡が異なることにより、接触信頼性を高めることができる。
【００２１】
本発明に係る新たな実施形態としては、前記可動接触片と前記弾性部材とが、前記ベースに突設された回動軸心を中心として回動するように支持されていることが好ましい。
このため、可動接触片と弾性部材とが同一の回動軸心を中心にして回動するので、可動接触片および弾性部材の収容体積を小さくでき、ベース内部を省スペース化できると共に、設計が容易になる。
【００２２】
本発明に係る他の実施形態としては、前記弾性部材が、回動可能で、かつ、所定の接点圧を確保するように前記切替可動接点を前記固定接点側に付勢してもよい。
これにより、可動接触片と固定接点との間に所望の接点圧を確保できる。
【００２３】
本発明に係る新たな実施形態としては、前記カバーの内向面に、前記可動接触片に係合して位置規制する位置規制リブを設けてもよい。
このため、位置規制リブが可動接触片を固定接点側に位置規制するので、可動接触片の浮き上がりを規制し、可動接触片と固定接点との接点圧のバラツキを無くすという効果がある。
【図面の簡単な説明】
【００２４】
【図１】（Ａ）は本発明に係るスイッチの実施形態を示す斜視図、（Ｂ）は（Ａ）からレバーを外したスイッチの斜視図、（Ｃ）は（Ｂ）のスイッチの破断斜視図。
【図２】図１Ｂのスイッチの分解斜視図。
【図３】図２の反対方向から見たスイッチの分解斜視図。
【図４】（Ａ）は各固定接点端子がインサート成形されたベースの斜視図、（Ｂ）は図４Ａの正面図、（Ｃ）は図４Ａと違う角度から見たベースの斜視図。
【図５】図３のカバーを違う角度からみた斜視図。
【図６】（Ａ）は常閉固定接点端子と共通固定接点端子とが導通している状態のスイッチの内部構造を示す正面図、（Ｂ）は常開固定接点端子と共通固定接点端子とが導通している状態のスイッチの内部構造を示す正面図。
【発明を実施するための形態】
【００２５】
本発明に係る実施形態を図１ないし図６の添付図面に従って説明する。
本発明は、押しボタン５１を押し下げることにより、通電する端子を切り換える押しボタンスイッチ１に適用した場合である。
【００２６】
押しボタンスイッチ１は、図１ないし図３に示すように、ベース１１と、このベース１１にインサート成形される常閉固定接点端子２１、常開固定接点端子２４および共通固定接点端子２７と、常閉固定接点端子２１と常開固定接点端子２４とを切り換える切替用可動接触片３１と、この切替用可動接触片３１を上方に付勢する弾性部材であるコイルバネ４１と、このコイルバネ４１に付勢された切替用可動接触片３１を上下方向に回動させる押しボタン５１と、前記ベース１１を被覆するカバー６１と、で構成されている。
【００２７】
なお、実際に組み立てた製品の一例では、全体高さ６．５ｍｍ、ベース１１の幅８．２ｍｍ、ベース１１の奥行き２．７ｍｍの外形寸法を有している。
【００２８】
ベース１１は、図２および図４に示すように、下辺部１１ａに一対の台部１２を備えた箱形状である。また、前記ベース１１の奥側の内側面１１ｂにはインサート成形された常閉固定接点端子２１、常開固定接点端子２４および共通固定接点端子２７の常閉固定接点２２,常開固定接点２５,共通固定接点２８がそれぞれ露出している（図４Ｂ）。
【００２９】
ベース１１の角部には、レバー２を回動可能に支持する支持突起１３が設けられている。このベース１１の内側面１１ｂの隅部には、回動軸心である円柱形の支持用突部１４が内側面１１ｂに垂直に突設されており、この支持用突部１４には、切替用可動接触片３１とコイルバネ４１とが順に差し込まれる。また、ベース１１の支持突起１３の長手方向反対側に位置する上面には押しボタン５１が挿通される切欠き部１６が形成されており、この切欠き部１６に連続して、鉛直下方にガイド用リブ１７が延在している。さらに、ベース１１の下辺部１１ａには、上面がコイルバネ４１と係止する立方体形状の突起１８が設けられている。そして、ベース１１の両外側には、外方に向かって突出する一対の係合突起１９が形成されている。
【００３０】
ベース１１の下辺部１１ａに形成された台部１２には、取付孔１２ａがそれぞれ形成されている。前記台部１２がベース１１の長手方向に直交する短側方向に突き出すように形成され、取付ねじ（図示せず）の締付力がカバー６１に直接負荷されることがないので、カバー６１の損傷を防止できる。
【００３１】
常閉固定接点端子２１は、図２に示すように、常開固定接点端子２４に向かって水平方向に延び、かつ、下側縁部に形成された鋸歯形の段部からなる常閉固定接点（信号固定接点）２２と、この常閉固定接点２２の基部から下方に向かって延び、かつ、図２中の手前側に曲げ起こされた常閉端子部２３と、を備えている。この常閉固定接点端子２１がベース１１にインサート成形された状態では、図４（Ａ）から図４（Ｃ）に示すように、常閉端子部２３がベース１１から下方側に突出している。
【００３２】
常開固定接点端子２４は、図２に示すように、常閉固定接点端子２１に向かって水平方向に延び、かつ、上側縁部に形成された鋸歯形の段部からなる常開固定接点２５（信号固定接点）と、この常開固定接点２５の基部から下方に向かって延び、かつ、図２中の手前側に曲げ起こされた常開端子部２６と、を備えている。この常開固定接点端子２４がベース１１にインサート成形された状態では、図４（Ａ）から図４（Ｃ）に示すように、常開端子部２６がベース１１から下方側に突出している。
【００３３】
共通固定接点端子２７は、図２に示すように、上端に形成され、かつ、成形孔２８ａを有する円形の共通固定接点２８と、この共通固定接点２８から図２中の手前側に曲げ起こされ、かつ、下方に向かって延びる共通端子部２９と、を備えている。この共通固定接点端子２７がベース１１にインサート成形された状態では、図４（Ａ）から図４（Ｃ）に示すように、成形孔２８ａからベース１１の支持用突部１４が突出する一方、共通端子部２９はベース１１から下方側に突出している。
【００３４】
切替用可動接触片３１は、図２および図３に示すように、嵌合孔３２ａを有する共通可動接点３２と、この共通可動接点３２から、図２中の手前側に曲げ起こされた段差３９を介し、ベース１１の長手方向に沿って延びる回動部３３と、を備えている。
この回動部３３は、共通可動接点３２の近傍からベース１１の長手方向に沿って延びる一対の可動伸長片３４と、この可動伸長片３４と正面視で平行にベース１１の長手方向に延び、かつ、端部に押しボタン５１に押圧される回動狭持部３５が形成された腕部３６と、を有する。また、回動狭持部３５には所定の幅を有する係止突起が設けられている。
可動伸長片３４の先端部には切替可動接点３８Ａ,３８Ｂが形成され、切替用可動接触片３１が回動することにより、前記切替可動接点３８Ａ,３８Ｂが常閉または常開固定接点２２,２５に接離する。また、共通可動接点３２に近接する切替可動接点３８Ａと段差３９との間の距離はＬ１であり、共通可動接点３２から離れた切替可動接点３８Ｂと後述する位置規制リブ６６により規制された箇所との間の距離はＬ２である。そして、これらＬ１とＬ２とは同じ距離になるように構成されている。
【００３５】
コイルバネ４１は、巻回された卷回部４３と、この卷回部４３の一端から切替用可動接触片３１に沿って延在し、かつ、先端部を折り曲げた係止端部４２と、卷回部４３の他端から延びる支持部４４と、を有する。
【００３６】
押しボタン５１は、上下方向に延びるボタン本体５２と、ボタン本体５２の下縁に設けられた板状係止部５３と、板状係止部５３の中央からカバー６１に向かって突出するガイド用突起５４と、ボタン本体５２のガイド用突起５４と反対側の面に鉛直方向に形成されたガイド用溝５５（図３参照）と、板状係止部５３の底部に下方に向かって突出する円弧状の操作用底面５６と、を備えている。
【００３７】
カバー６１は、図５に示すように、カバー本体６２と、このカバー本体６２の両側からベース１１に向かって延びる一対の側壁６３と、を備えている。図５に示すように、カバー本体６２は、前記ベース１１のガイド用リブ１７と対向する位置に、上下方向に延びる一対のガイド用レール６４が突設されており、このガイド用レール６４の上端には、押しボタン５１のガイド用突起５４に係止し、抜け止めする抜け止め用突起６５が設けられている。カバー本体６２のガイド用レール６４の近傍には、湾曲しながら上下方向に延びる位置規制リブ６６が形成されている。側壁６３にはそれぞれ、矩形の係合孔６７がそれぞれ形成されている。
【００３８】
本実施形態に係る押しボタンスイッチ１を組み立てるには、常閉、常開および共通固定接点端子２１,２４,２７をインサート成形したベース１１の切欠き部１６にボタン本体５２を嵌合する。このとき、押しボタン５１のガイド用溝５５がベース１１のガイド用リブ１７に係合し、押しボタン５１はベース１１に上下方向に移動可能に支持される。
【００３９】
また、切替用可動接触片３１の嵌合孔３２ａを支持用突部１４に嵌合し、図６（Ａ）に示すように、切替可動接点３８Ａ,３８Ｂを常閉固定接点２２に当接する。更に、コイルバネ４１の卷回部４３を前記支持用突部１４に嵌合し、支持部４４を突起１８に係止すると共に、係止端部４２を回動狭持部３５の底面側に係止し、前記回動狭持部３５を押しボタン５１の操作用底面５６に当接させる。そして、カバー６１の係合孔６７をベース１１の係合突起１９に係止することにより、カバー６１をベース１１に組み付ける。
【００４０】
このとき、押しボタン５１はガイド用リブ１７に係合すると共に、ガイド用突起５４がカバー６１の一対のガイド用レール６４間に位置規制されることにより、上下方向に移動可能に支持される。また、コイルバネ４１の支持部４４が、突起１８と係止しているので、卷回部４３のバネ力により、係止端部４２が切替用可動接触片３１と押しボタン５１とを上方に付勢している。そして、押しボタン５１の板状係止部５３の上面が、切欠き部１６の底面に係止し、切替可動接点３８Ａ,３８Ｂが常閉固定接点２２に当接している。更に、カバー６１の位置規制リブ６６が腕部３６に当接することにより、切替用可動接触片３１の浮き上がりを規制し、切替可動接点３８Ａ,３８Ｂと、常閉固定接点２２および常開固定接点２５との接点圧を確保する。
【００４１】
次に、前述の押しボタンスイッチ１の操作方法について説明する。
押しボタン５１に外部から押圧力が付加されていない場合、図６（Ａ）に示すように、切替可動接点３８Ａ,３８Ｂが常閉固定接点２２に接触し、共通固定接点端子２７と常閉固定接点端子２１とが導通している。
そして、レバー２（図１（Ａ）参照）を介して図６（Ｂ）に示すように、押しボタン５１を下方に押圧すると、押しボタン５１はガイド用リブ１７および一対のガイド用レール６４に摺接しながら下方に移動する。このとき、操作用底面５６が回動狭持部３５と係止端部４２とを下方に押し下げ、切替用可動接触片３１とコイルバネ４１とが支持用突部１４を中心として、反時計回りに回動する。これにより、常閉固定接点２２に接触していた一対の切替可動接点３８Ａ,３８Ｂが、下方に移動して常開固定接点２５に接触し、共通固定接点端子２７と常開固定接点端子２４とが導通する。
【００４２】
ついで、押しボタン５１に対する下方への押圧力を解除すると、コイルバネ４１のバネ力により、係止端部４２が回動狭持部３５と操作用底面５６とを上方に押し上げる。このため、切替用可動接触片３１は、支持用突部１４を中心として時計回り方向に回動すると共に、押しボタン５１が上方に押し上げられ、板状係止部５３が切欠き部１６の下面縁部と係止する。これにより、常開固定接点２５に接触していた一対の切替可動接点３８Ａ,３８Ｂが、上方に移動して常閉固定接点２２に接触し、共通固定接点端子２７と常閉固定接点端子２１とが導通する。本実施形態では、コイルバネ４１の係止端部４２と卷回部４３との間の距離が長く確保されている。これにより、押しボタン５１を下方に押し下げても、係止端部４２の回動角度が小さく、コイルバネ４１に対する負荷が小さいので、その耐久性が向上する。
【００４３】
本実施形態では、常閉固定接点端子２１の常閉固定接点２２と常開固定接点端子２４の常開固定接点２５とをベース１１の内側面１１ｂに同一面上に並設している。そして、切替用可動接触片３１が支持用突部１４を中心に回動することにより、常閉固定接点端子２１と常開固定接点端子２４とを切り換える構成を採用している。このため、押しボタンスイッチ１の奥行き寸法を小さくでき、薄型の押しボタンスイッチ１が得られる。
【００４４】
また、切替用可動接触片３１の端部に回動狭持部３５を設け、その底面にコイルバネ４１を係止したので、コイルバネ４１のバネ力に付勢された切替用可動接触片３１が押しボタン５１の上下移動を確実に受け止め、かつ、コイルバネ４１と連動して動くので、動作特性が安定する。更に、切替用可動接触片３１の腕部３６と可動伸長片３４とが正面視で略平行に延びるため、切替用可動接触片３１の設計が容易である。
【００４５】
そして、切替用可動接触片３１の距離Ｌ１と、距離Ｌ２とが等しい。このため、切替可動接点３８Ａ,３８Ｂと切替用可動接触片３１に働く力の作用点との距離を一定に維持でき、同一の接点圧を確保できると共に、切替可動接点３８Ａ,３８Ｂの回動軌跡が異なることで、接触信頼性を高めることができる。
特に、切替可動接点３８Ａ,３８Ｂは同一の回動軌跡上にないが、常閉固定接点２２および常開固定接点２５が鋸歯状に形成されているので、切替可動接点３８Ａ,３８Ｂが常閉固定接点２２または常開固定接点２５にそれぞれ同時に接離し、接触信頼性を向上できる。
【００４６】
次いで、切替用可動接触片３１とコイルバネ４１とが、支持用突部１４を中心に回動するので、ベース１１の切替用可動接触片３１およびコイルバネ４１の収容体積を小さくできる。このため、ベース１１の内部を省スペース化できると共に、設計が容易になる。
また、カバー６１に押圧され圧縮されたコイルバネ４１の卷回部４３が、共通可動接点３２を固定接点２２,２５側に付勢するので、切替可動接点３８Ａ,３８Ｂと固定接点２２,２５との間に所望の接点圧を確保できる。
【００４７】
更に、押しボタン５１が、切替用可動接触片３１の切替可動接点３８Ａ,３８Ｂの近傍を押圧するように配置されているので、押しボタン５１と切替可動接点３８Ａ,３８Ｂとの連動性を高めることができ、動作位置精度が向上する。
そして、押しボタン５１の、切替用可動接触片３１との係止面に円弧状の操作用底面５６を形成したので、押しボタン５１の上下方向への移動動作を切替用可動接触片３１の回動動作に円滑に変換できる。
【００４８】
切替用可動接触片３１は、その基部が段差３９を形成するように曲げ起こされる一方、回動狭持部３５が押しボタン５１に押圧される位置まで延在すると共に、切替可動接点３８Ａ,３８Ｂが信号固定接点２２,２５に接続するように曲げ降ろされた形状としている。切替可動接点３８Ａ,３８Ｂが曲げ降ろされることで、切替可動接点３８Ａ,３８Ｂと信号固定接点２２,２５との所望の接点圧を確保すると共に、基部で段差３９を形成するように曲げ起こされることで、回動狭持部３５を信号固定接点２２,２５から離間し、かつ、押しボタン５１に付勢力を付与することができる。
【００４９】
本発明は、前記実施形態に限定されず種々の変形が可能である。
前記実施形態では、共通固定接点２８に接続された切替用可動接触片３１が、常閉固定接点２２と常開固定接点２５との間で接続を切り換えることで、導電する端子を切り換えたが、これに限定されない。例えば、ベース１１に配設された一対の固定接点端子のうち、一方の固定接点端子を切替用可動接触片に接続し、この切替用可動接触片が、他方の固定接点端子に接触して通電する通電位置と、他方の固定接点端子と接続せずに通電しない遮断位置との間を回動する構成としてもよい。
【００５０】
また、前記実施形態では切替用可動接触片３１が、常閉固定接点端子２１および常開固定接点端子２４の２つの端子間で接続を切り換えたが、３つ以上の接点端子をベース１１に配設し、接続を切り換える構成も採用してもよい。
【符号の説明】
【００５１】
１  押しボタンスイッチ
１１  ベース
１４  支持用突部（回動軸心）
２２  常閉固定接点（信号固定接点）
２５  常開固定接点（信号固定接点）
２８  共通固定接点
３１  切替用可動接触片
３２  共通可動接点
３４  可動伸長片
３５  回動狭持部
３６  腕部
３８Ａ  切替可動接点
３８Ｂ  切替可動接点
４１  コイルバネ（弾性部材）
５１  押しボタン
５６  操作用底面
６１  カバー
６６  位置規制リブ
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
少なくとも３つの固定接点を内側面上に配設したベースと、
前記ベースの内側面に沿って回動可能に支持され、かつ、１つの前記固定接点である共通固定接点に接続する可動接触片と、
前記ベースの内側面に沿って回動可能に支持され、前記可動接触片を付勢する弾性部材と、
前記ベースの内側面に沿って往復移動可能に支持され、前記可動接触片を回動する押しボタンと、
前記ベースを被覆するカバーと、
を備えたスイッチにおいて、
前記可動接触片の自由端部に配置された切替可動接点が、残る他の前記固定接点である常閉固定接点に接続される常閉位置と、残る別の前記固定接点である常開固定接点に接続される常開位置との間を摺動し、かつ、前記常閉固定接点と常開固定接点とからなる信号固定接点に接離するように、前記可動接触片が前記内側面に直交する回動軸心を中心として回動可能に前記ベースに組み付けられると共に、前記可動接触片が前記回動軸心にて前記共通固定接点に接続する共通可動接点を有する一方、
前記可動接触片の自由端部に、前記弾性部材の自由端部と前記押しボタンとで狭持される回動狭持部を前記切替可動接点とは別に設け、前記押しボタンが、前記回動狭持部を押圧可能に配置されたことを特徴とするスイッチ。
【請求項２】
前記回動狭持部に係止突起を設けたことを特徴とする請求項１に記載のスイッチ。
【請求項３】
前記押しボタンの下面に、前記回動狭持部を押し下げる円弧状の操作用底面を突設したことを特徴とする請求項１または２のいずれかに記載のスイッチ。
【請求項４】
前記可動接触片が、自由端部に前記回動狭持部を有する腕部と、自由端部に前記常閉固定接点または常開固定接点に接離する切替可動接点を有する可動伸長片と、を備えると共に、前記腕部と前記可動伸長片とを平行に延在したことを特徴とする請求項１ないし３のいずれかに記載のスイッチ。
【請求項５】
前記可動接触片は、その基部で段差を形成するように曲げ起こされる一方、前記回動狭持部が前記押しボタンに押圧される位置まで延在すると共に、前記切替可動接点が前記信号固定接点に接続するように曲げ降ろされた形状を特徴とする請求項１ないし４のいずれかに記載のスイッチ。
【請求項６】
前記可動接触片に複数の前記可動伸長片を有し、前記可動伸長片の基部と前記切替可動接点との距離が前記複数の可動伸長片の間で同一であり、かつ、前記切替可動接点が前記複数の可動伸長片の間で同一回動軌跡上にないことを特徴とする請求項４または請求項５に記載のスイッチ。
【請求項７】
前記可動接触片と前記弾性部材とが、前記ベースに突設された回動軸心を中心として回動するように支持されていることを特徴とする請求項１ないし６のいずれかに記載のスイッチ。
【請求項８】
前記弾性部材が、回動可能で、かつ、所定の接点圧を確保するように前記切替可動接点を前記固定接点側に付勢することを特徴とする請求項１ないし７のいずれかに記載のスイッチ。
【請求項９】
前記カバーの内向面に、前記可動接触片に係合して位置規制する位置規制リブを設けたことを特徴とする請求項１ないし８のいずれかに記載のスイッチ。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
他の実施形態として、少なくとも３つの固定接点を内側面上に配設したベースと、
前記ベースの内側面に沿って回動可能に支持され、かつ、１つの前記固定接点である共通固定接点に接続する可動接触片と、
前記ベースの内側面に沿って回動可能に支持され、前記可動接触片を付勢する弾性部材と、
前記ベースの内側面に沿って往復移動可能に支持され、前記可動接触片を回動する押しボタンと、
前記ベースを被覆するカバーと、
を備えたスイッチにおいて、
前記可動接触片の自由端部に配置された切替可動接点が、残る他の前記固定接点である常閉固定接点に接続される常閉位置と、残る別の前記固定接点である常開固定接点に接続される常開位置との間を摺動し、かつ、前記常閉固定接点と常開固定接点とからなる信号固定接点に接離するように、前記可動接触片が前記内側面に直交する回動軸心を中心として回動可能に前記ベースに組み付けられると共に、前記可動接触片が前記回動軸心にて前記共通固定接点に接続する共通可動接点を有する一方、
前記可動接触片の自由端部に、前記弾性部材の自由端部と前記押しボタンとで狭持される回動狭持部を前記切替可動接点とは別に設け、前記押しボタンが、前記回動狭持部を押圧可能に配置したものである。
【手続補正５】
【補正対象書類名】明細書
【補正対象項目名】０００９
【補正方法】変更
【補正の内容】
【０００９】
ベースの内側面上に少なくとも３つの固定接点を配設し、１つの固定接点である共通固定接点に接続された可動接触片が内側面に直交する回動軸心を中心として回動することにより、共通固定接点を常閉固定接点と常開固定接点との間で切り換えることができる。すなわち、可動接触片を介して共通固定接点と信号固定接点との接続をオン、またはオフすることができる。このため、奥行き寸法が小さい薄型のスイッチが得られる。
また、弾性部材が回動狭持部を介して押しボタンを付勢すると共に、一旦、押しボタンが付勢力に抗して押圧されると回動狭持部を回動軸心を中心として回動することができる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】